(57)【要約】  スペーサ材料により分離された複数の記録層Ｌ0 ,..., Ｌn-1 を有する書き込み可能な光記録担体（１００）であって、各記録層が最適記録パワー校正領域（１０１，１１１，１２１，１３１）を有し、この最適記録パワー校正領域が、記録された層を表す平均反射率を有する第１部分（１０２，１１２，１２２）と、記録されていない層を表す平均反射率を有する第２部分（１１３，１２３，１３３）とを具えている当該光記録担体（１００）を提供する。また、このような書き込み可能な光記録担体上に最適記録パワー校正領域を形成する方法及び装置を提供する。これら最適記録パワー校正領域は、部分的に一部重なり合っており、それにより、順次の記録層の各対における最適記録パワー校正領域の第１部分が一段を形成し、これら複数の記録層の最適記録パワー校正領域の第１部分が階段状の形態になっている。順次の記録層Ｌk ，Ｌk+1 の対により形成される各段のステップ寸法は最小にするのが好ましい。
2007521589.tif 000002
【特許請求の範囲】
【請求項１】
開口数ＮＡの対物レンズを具える記録装置に使用する為の書き込み可能な光ディスクであって、この光ディスクは、それぞれスペーサ材料により分離された複数の記録層Ｌ0 ,...,Ｌn-1 を有し、これら記録層の各々は最適記録パワー校正領域を有し、このうち、少なくとも記録層Ｌ0 ,...,Ｌn-2 又はＬ1 ,...,Ｌn-1 の最適記録パワー校正領域は、記録された層を表す平均反射率を有する第１部分を具え、各記録層Ｌ0 ,..., Ｌn-1 の最適記録パワー校正領域は、記録されていない層を表す平均反射率を有する第２部分を具え、前記最適記録パワー校正領域は部分的に重なり合って、順次の記録層Ｌk ，Ｌk+1 の各対の前記第１部分が、式
【数１】
2007521589.tif 000010
で表される最小ステップ寸法ｗk,k+1 の一段を形成しており、
上記の式中、εは各記録層の径方向の最大誤整列量を表し、Δk,k+1 は順次の層Ｌk 及びＬk+1 間のスペーサ材料の厚さを表し、ｎm はスペーサ材料の屈折率を表しており、前記複数の記録層の第１部分は、階段状の形態になっている書き込み可能な光ディスク。
【請求項２】
請求項１に記載の書き込み可能な光ディスクにおいて、
前記最適記録パワー校正領域が、前記ディスクの中心付近に配置されており、前記第１部分が同心円を形成していることを特徴とする書き込み可能な光ディスク。
【請求項３】
請求項１に記載の書き込み可能な光ディスクにおいて、
前記最適記録パワー校正領域が、前記ディスクの周辺付近に配置されており、前記第１部分が同心円を形成していることを特徴とする書き込み可能な光ディスク。
【請求項４】
請求項２又は３に記載の書き込み可能な光ディスクにおいて、
前記同心円の半径が、前記光ディスクの光ビーム入射面から離れる方向に見た場合に、記録層毎に減少していることを特徴とする書き込み可能な光ディスク。
【請求項５】
請求項２又は３に記載の書き込み可能な光ディスクにおいて、
前記同心円の半径が、前記光ディスクの光ビーム入射面から離れる方向に見た場合に、記録層毎に増大していることを特徴とする書き込み可能な光ディスク。
【請求項６】
スペーサ材料により分離された複数の記録層Ｌ0 ,...,Ｌn-1 を有する書き込み可能な光ディスク上に最適記録パワー校正領域を形成する方法であって、開口数ＮＡを有する対物レンズを具える書き込み記録装置により、前記記録層上にマークを書き込み、それにより各記録層上に最適記録パワー校正領域を形成して、少なくとも記録層Ｌ0 ,...,Ｌn-2 又はＬ1 ,...,Ｌn-1 の最適記録パワー校正領域が、記録された層を表す平均反射率を有する第１部分を具え、各記録層Ｌ0 ,..., Ｌn-1 の最適記録パワー校正領域が、記録されていない層を表す平均反射率を有する第２部分を具え、前記最適記録パワー校正領域が、部分的に重なり合っており、順次の記録層Ｌk ，Ｌk+1 の各対の前記第１部分が、式
【数２】
2007521589.tif 000011
で表される最小ステップ寸法の一段を形成するようにし、
上記の式中、εは各記録層の径方向の最大誤整列量を表し、Δk,k+1 は順次の層Ｌk 及びＬk+1 間のスペーサ材料の厚さを表し、ｎm はスペーサ材料の屈折率を表しており、前記複数の記録層の第１部分が、階段状の形態になるようにする最適記録パワー校正領域を形成する方法。
【請求項７】
請求項６に記載の最適記録パワー校正領域を形成する方法において、
前記最適記録パワー校正領域を、前記ディスクの中心付近に書き込み、前記第１部分により同心円を形成することを特徴とする最適記録パワー校正領域を形成する方法。
【請求項８】
請求項６に記載の最適記録パワー校正領域を形成する方法において、
前記最適記録パワー校正領域を、前記ディスクの周辺付近に書き込み、前記第１部分により同心円を形成することを特徴とする最適記録パワー校正領域を形成する方法。
【請求項９】
請求項７又は８に記載の最適記録パワー校正領域を形成する方法において、
前記最適記録パワー校正領域を、前記光ディスクの光ビーム入射面から離れる方向に見た場合に、前記同心円の半径が記録層毎に減少するように書き込むことを特徴とする最適記録パワー校正領域を形成する方法。
【請求項１０】
請求項７又は８に記載の最適記録パワー校正領域を形成する方法において、
前記最適記録パワー校正領域を、前記光ディスクの光ビーム入射面から離れる方向に見た場合に、前記同心円の半径が記録層毎に増大するように書き込むことを特徴とする最適記録パワー校正領域を形成する方法。
【請求項１１】
径方向の最大誤整列量εを有する複数の記録層Ｌ0 ,...,Ｌn-1 を具える書き込み可能な光ディスクのこれら記録層は、それぞれ順次の２層Ｌk 及びＬk+1 間で、厚さΔk, k+1で屈折率ｎm のスペーサ材料により分離されている当該書き込み可能な光ディスク上にデータを書き込むための装置であって、
前記記録層上にマークを書き込むように構成された、開口数ＮＡを有する対物レンズを具える書き込みユニットと、
前記記録層の予め決定した位置にマークが書き込まれるように前記書き込みユニットを制御し、それにより各記録層上に最適記録パワー校正領域を形成するように構成した制御ユニットであって、少なくとも記録層Ｌ0 ,...,Ｌn-2 又はＬ1 ,...,Ｌn-1 の最適記録パワー校正領域が、記録された層を表す平均反射率を有する第１部分を具え、各記録層Ｌ0 ,..., Ｌn-1 の最適記録パワー校正領域が、記録されていない層を表す平均反射率を有する第２部分を具え、前記最適記録パワー校正領域は、一部重なり合って、順次の記録層Ｌk ，Ｌk+1 の各対の前記第１部分が、式
【数３】
2007521589.tif 000012
で表される最小ステップ寸法の一段を形成し、前記複数の記録層の第１部分が、階段状の形態になるようにする当該制御ユニットと
を有する書き込み可能な光ディスク上にデータを書き込むための装置。
【請求項１２】
請求項１１に記載の書き込み可能な光ディスク上にデータを書き込むための装置において、
この装置が、更に、前記書き込み可能な光ディスクから、各記録層の径方向の最大誤整列量εと、順次の２つの層Ｌk 及びＬk+1 間のスペーサ材料の厚さΔk, k+1と、前記スペーサ材料の屈折率ｎm とに相当する情報を得るための手段を有することを特徴とする書き込み可能な光ディスク上にデータを書き込むための装置。
【請求項１３】
請求項１１に記載の書き込み可能な光ディスク上にデータを書き込むための装置において、
前記制御ユニットは、更に、最適記録パワー校正処理中にいずれかの層の第２部分に記録されたトラックの最大数に相当する情報を記憶し、他の層にマークを書き込んで、全ての層の最適記録パワー校正領域の第２部分に同数のトラックが記録されるようになっていることを特徴とする書き込み可能な光ディスク上にデータを書き込むための装置。
【発明の詳細な説明】
【技術分野】
【０００１】
本発明は、スペーサ材料により分離された複数の記録層を具え、各記録層が最適記録パワー校正（ＯＰＣ）領域を有するようにした書き込み可能な光記録担体、特に記録可能なＷＯＲＭ又はＲＷディスクに関するものである。本発明は、更に、このような書き込み可能な光記録担体上に最適記録パワー校正領域を形成する方法及び装置にも関するものである。
【０００２】
データの記憶容量に対する要求が絶えず増大していることにより、追記型の又は再書き込み可能なＤＶＤやブルーレイディスク（ＢＤ）のような高密度光記録媒体が開発された。これらの記録媒体では、対物レンズの開口数（ＮＡ）を増大させることや、記録／読み取りレーザ光の波長を短くすることにより、データの記憶容量を増大させている。
【０００３】
大きな記憶容量を得るための補完的手法は、記録層の数を増やすことである。例えば、情報記憶層をｎ層にすることにより、データ容量がｎ倍になる。この手法は、現在のところ、ＤＶＤ＋Ｒ、ＤＶＤ＋ＲＷ、ＢＤ−Ｒ、及びＢＤ−ＲＷ媒体に採用されている。（２重層ディスクにより）記憶容量を２倍にすることは既知であるが、（４重層ディスクにより）記憶容量を４倍にすることは研究中である。
【０００４】
現在のところ、主に２つの異なる書き込み原理が既知となっている。即ち、ＣＤ−Ｒ、ＤＶＤ＋Ｒ及びＤＶＤ−Ｒのような追記型媒体の場合の色素記録と、ＣＤ−ＲＷ、ＤＶＤ−ＲＡＭ、ＤＶＤ−ＲＷ、ＤＶＤ＋ＲＷ及びＢＤ−ＲＷのような再書き込み可能な媒体の場合の相変化記録とである。
【０００５】
相変化記録層は、一般に相変化材料を含んでおり、この相変化材料は代表的には耐久性の多結晶構造を有する合金であり、この合金は２層の誘電体ZnＳ‐SiＯ2 層間に挟まれて積層となっている。記録担体を照射する書き込みレーザビームのエネルギーは、記録信号により変調され、このエネルギーの大部分は相変化材料により吸収されて、それにより結晶相からアモルファス相への相変化がもたらされる。結晶相（基底状態）は、高い反射率を有するが、アモルファス相（書き込まれた状態）の反射率は減少している。従って、記録層は、この記録層上に集束した読み取りビームが、書き込まれた領域（マーク）に当たったか、又は書き込まれていない領域（ランド）に当たったかに応じて、異なる強度でこの読み取りビームを反射する。
【０００６】
色素記録層は、代表的には、例えばシアニン、フタロシアニン又は金属アゾのような色素材料を含む有機色素層と、代表的には金、銀又はアルミニウムから形成される反射性金属層とから構成されている。書き込みレーザビームは、記録層により一部吸収され、それにより色素材料は永続的に且つ不可逆的に脱色（ブリーチ）され分解される。このようにして書き込んだマークに当たる読み取りビームは、このマークにより一部散乱される。その結果、反射性金属層において反射する光の強度は、読み取りビームが、マークに当たったのか、又は殆ど妨げられることなく記録層を通過したのかに依存することになる。
【０００７】
このように、層の記録状態により、層の平均反射率が変化し、また層の透過率も影響を受ける。このことは、多層ディスクの場合には、指定した（焦点の合った）１つの層に対する読み取り及び書き込み処理は、一般にディスクにおける他の（焦点の合っていない）層の存在により影響を受けることを意味する。焦点の合っていない層において発生する迷光は、対物レンズのＮＡ内の当該層の平均反射率に比例する、言い換えると、その領域での焦点の合っていない層における（データを表す）マークの存在に応じたものとなる。更に、焦点の合っていない層にデータが存在していることにより、これら層の透過特性が異なるものになる。従って、レーザビームが１以上の層を通過する場合、焦点の合っている層が受ける光パワーが変化し、周囲の層が対物レンズのＮＡ内にデータを含むか否かによって、得られる最適な条件（即ち書き込みパワーや、フォーカスオフセット等）が異なるおそれがある。
【０００８】
光ディスク上の記録データの品質を最良にするために、記録処理を行う前に、ドライブ装置により最適記録パワー校正（ＯＰＣ）処理を行うことが一般に既知となっている。ドライブ装置は、このＯＰＣ処理からデータを記録するための最適パワーを決定する。一般に、このＯＰＣ処理は、ドライブ装置に（何も記録されていない又は一部記録された）ディスクを挿入する際に常に行われる。多層光ディスクに関しては、ある層に対するＯＰＣ処理の結果は、他の層におけるデータの存在に依存する場合がある。
【０００９】
多層光ディスクにおける記録データの品質が悪くなるのを防止するためには、これらの影響を考慮する必要がある。欧州特許出願公開第1244096 号明細書では、複数の記録層の各々にＯＰＣテスト領域を設けたディスクが提案されている。これらのＯＰＣテスト領域は、最大の光パワー透過路を具える部分と最小の光パワー透過路を具える部分とを有する。しかし、このようなディスクでは、これらのＯＰＣテスト領域により占有されるスペースが極めて大きくなる。
【発明の開示】
【００１０】
本発明の目的は、殆どの好適な書き込みストラテジに対して最適な書き込みパワーを校正するのに効率的で、必要なスペースを最小にする最適記録パワー校正領域を設けた、複数の記録層を有する書き込み可能な光ディスクを提供することにある。本発明の他の目的は、このような書き込み可能な光記録担体上に最適記録パワー校正領域を形成する方法及び装置を提供することにある。
【００１１】
本発明の第１の観点によれば、開口数ＮＡの対物レンズを具える記録装置に使用する為の書き込み可能な光ディスクであって、この光ディスクは、それぞれスペーサ材料により分離された複数の記録層Ｌ0 ,...,Ｌn-1 を有し、これら記録層の各々は最適記録パワー校正領域を有し、このうち、少なくとも記録層Ｌ0 ,...,Ｌn-2 又はＬ1 ,...,Ｌn-1 の最適記録パワー校正領域は、記録された層を表す平均反射率を有する第１部分を具え、各記録層Ｌ0 ,..., Ｌn-1 の最適記録パワー校正領域は、記録されていない層を表す平均反射率を有する第２部分を具え、前記最適記録パワー校正領域は部分的に重なり合って、順次の記録層Ｌk ，Ｌk+1 の各対の前記第１部分が、式
【数１】
2007521589.tif 000003
で表される最小ステップ寸法ｗk,k+1 の一段を形成しており、上記の式中、εは各記録層の径方向の最大誤整列量を表し、Δk,k+1 は順次の層Ｌk 及びＬk+1 間のスペーサ材料の厚さを表し、ｎm はスペーサ材料の屈折率を表しており、前記複数の記録層の第１部分は、階段状の形態になっている書き込み可能な光ディスクにより上述した目的を達成する。
【００１２】
本発明は、追記型の多層記録媒体では、層順次に記録処理を行うのが好ましいことを考慮に入れている。この書き込み順序は、再書き込み可能な多層ディスクにも適用されうる。層順次に記録処理を行うに際して最も理にかなっているのは、頂部から底部に又は底部から頂部に向かって記録処理を行う方法である。上述した第１部分を階段状に規定することにより、より高い位置の層にデータが存在することによる影響、及びより低い位置の層にデータが存在しないことによる影響、或いはこの逆の場合の影響をＯＰＣ処理中に模擬することができる。このことにより、順次の層のテスト及び記録中毎回（ＯＰＣ処理中及びユーザデータの記録中の双方で）、（より高い位置にある層及びより低い位置にある層からの反射及び透過の双方又はいずれか一方について）同じ状態になるため、ディスク上の占有スペースが最小になるという利点が得られる。
【００１３】
階段状部分のステップ（段）の幅は、ＯＰＣ処理中に、入射光ビームに対して、より高い位置にある層から生じる迷光が常に記録された領域を表す部分から発生し、より低い位置にある層から生じる迷光が常に記録されてない領域を表す部分から発生するように選択するか、或いは層に記録処理を行う適切な順番によっては上述したのと逆になるように選択する。
【００１４】
上述した本発明の第１の観点に更に改良を加える本発明の第２の観点によれば、最適記録パワー校正領域をディスクの中心付近に配置し、第１部分が同心円を形成するようにする。
【００１５】
上述した本発明の第１の観点に更に改良を加える本発明の第３の観点によれば、最適記録パワー校正領域をディスクの周辺付近に配置し、第１部分が同心円を形成するようにする。
【００１６】
上述した本発明の第２の又は第３の観点に更に改良を加える本発明の第４の観点によれば、、前記同心円の半径が、光ディスクの光ビーム入射面から離れる方向に見た場合に、記録層毎に減少するようにする。
【００１７】
上述した本発明の第２の又は第３の観点を更に改良を加える本発明の第５の観点によれば、、前記同心円の半径が、光ディスクの光ビーム入射面から離れる方向に見た場合に、記録層毎に増大するようにする。
【００１８】
更に、本発明の第６の観点によれば、前述した本発明の目的は、スペーサ材料により分離された複数の記録層Ｌ0 ,...,Ｌn-1 を有する書き込み可能な光ディスク上に最適記録パワー校正領域を形成する方法であって、開口数ＮＡを有する対物レンズを具える書き込み記録装置により、前記記録層上にマークを書き込み、それにより各記録層上に最適記録パワー校正領域を形成して、少なくとも記録層Ｌ0 ,...,Ｌn-2 又はＬ1 ,...,Ｌn-1 の最適記録パワー校正領域が、記録された層を表す平均反射率を有する第１部分を具え、各記録層Ｌ0 ,..., Ｌn-1 の最適記録パワー校正領域が、記録されていない層を表す平均反射率を有する第２部分を具え、前記最適記録パワー校正領域が、部分的に重なり合っており、順次の記録層Ｌk ，Ｌk+1 の各対の前記第１部分が、式
【数２】
2007521589.tif 000004
で表される最小ステップ寸法の一段を形成するようにし、上記の式中、εは各記録層の径方向の最大誤整列量を表し、Δk,k+1 は順次の層Ｌk 及びＬk+1 間のスペーサ材料の厚さを表し、ｎm はスペーサ材料の屈折率を表しており、前記複数の記録層の第１部分が、階段状の形態になるようにする最適記録パワー校正領域を形成する方法により達成される。
【００１９】
上述した本発明の第６の観点に更に改良を加える本発明の第７の観点によれば、最適記録パワー校正領域をディスクの中心付近に書き込み、第１部分により同心円を形成する。
【００２０】
上述した本発明の第６の観点に更に改良を加える本発明の第８の観点によれば、最適記録パワー校正領域をディスクの周辺付近に書き込み、第１部分により同心円を形成する。
【００２１】
上述した本発明の第７又は第８の観点に更に改良を加える本発明の第９の観点によれば、最適記録パワー校正領域を、光ディスクの光ビーム入射面から離れる方向に見た場合に前記同心円の半径が記録層毎に減少するように書き込む。
【００２２】
上述した本発明の第７又は第８の観点を更に改良を加える本発明の第１０の観点によれば、最適記録パワー校正領域を、光ディスクの光ビーム入射面から離れる方向に見た場合に前記同心円の半径が記録層毎に増大するように書き込む。
【００２３】
更に、本発明の第１１の観点によれば、前述した本発明の目的は、径方向の最大誤整列量εを有する複数の記録層Ｌ0 ,...,Ｌn-1 を具える書き込み可能な光ディスクのこれら記録層は、それぞれ順次の２層Ｌk 及びＬk+1 間で、厚さΔk, k+1で屈折率ｎm のスペーサ材料により分離されている当該書き込み可能な光ディスク上にデータを書き込むための装置であって、前記記録層上にマークを書き込むように構成された、開口数ＮＡを有する対物レンズを具える書き込みユニットと、前記記録層の予め決定した位置にマークが書き込まれるように前記書き込みユニットを制御し、それにより各記録層上に最適記録パワー校正領域を形成するように構成した制御ユニットであって、少なくとも記録層Ｌ0 ,...,Ｌn-2 又はＬ1 ,...,Ｌn-1 の最適記録パワー校正領域が、記録された層を表す平均反射率を有する第１部分を具え、各記録層Ｌ0 ,..., Ｌn-1 の最適記録パワー校正領域が、記録されていない層を表す平均反射率を有する第２部分を具え、前記最適記録パワー校正領域は、一部重なり合って、順次の記録層Ｌk ，Ｌk+1 の各対の前記第１部分が、式
【数３】
2007521589.tif 000005
で表される最小ステップ寸法の一段を形成し、前記複数の記録層の第１部分が、階段状の形態になるようにする当該制御ユニットとを有する書き込み可能な光ディスク上にデータを書き込むための装置により達成される。
【００２４】
各記録層の径方向の最大誤整列量と、２層の順次の層Ｌk ，Ｌk+1 の間のスペーサ材料の厚さΔk, k+1と、スペーサ材料の屈折率ｎm とに相当する情報は、記録担体自体に記憶させることができる。例えば、これらの情報は、標準的なＷＯＲＭ、再書き込み可能なＣＤ又はＤＶＤの場合には、ディスクのプリグルーブに変調ウォブル信号として記憶させる情報の一部とすることができる。或いは又、これらの情報を、ディスクのリードイントラック又はその他の場所に（予め）記録されたデータとして記憶させることができる。
【００２５】
この場合、本発明の第１１の観点に更に改良を加える本発明の第１２の観点によれば、前記装置が、更に、書き込み可能な光ディスクから、各記録層の径方向の最大誤整列量εと、順次の２つの層Ｌk 及びＬk+1 間のスペーサ材料の厚さΔk, k+1と、スペーサ材料の屈折率ｎm とに相当する情報を得るための手段を有するようにする。
【００２６】
本発明の第１１の観点に更に改良を加える本発明の第１３の観点によれば、前記制御ユニットが、更に、最適記録パワー校正処理中にいずれかの層の第２部分に記録されたトラックの最大数に相当する情報を記憶し、他の層にマークを書き込んで、全ての層の最適記録パワー校正領域の第２部分に同数のトラックが記録されるようになっていることを特徴とする書き込み可能な光ディスク上にデータを書き込むようにする。
【００２７】
本発明の上述の及びその他の目的、特徴及び利点は、添付図面を参照した、以下の好適実施例の説明から明らかとなるであろう。
図１は、本発明による書き込み可能光記録担体の第１の実施例の断面を示す。本例での書き込み可能光記録担体は、４つの記録層Ｌ0 〜Ｌ3 を具える多層ディスク１００であり、このうちＬ0 は第１の層、即ち入射光ビームに対して最も浅い最外側の層であり、Ｌ3 は入射光ビームに対して最も深い層である。換言すると、層Ｌ0 は、ディスクの光ビーム入射面を規定している。Ｌ0 〜Ｌ3 の各層は、それぞれＯＰＣ領域１０１、１１１、１２１及び１３１を有する。各ＯＰＣ領域は、最も深い層Ｌ3 のＯＰＣ領域を除いて、それぞれ、記録された層を表す平均反射率を有する第１部分１０２、１１２及び１２２を具える。各ＯＰＣ領域は、第１の層Ｌ0 のＯＰＣ領域を除いて、それぞれ、記録されていない層を表す平均反射率を有する第２部分１１３、１２３及び１３３を具える。更に、各記録層Ｌ0 〜Ｌ3 は、制御データ又はユーザデータを記憶させるための未書き込みデータ領域１０４、１１４、１２４及び１３４を有する。図１には、ディスクの入射面からディスクに入るＯＰＣテストレーザビーム１０６が示されている。矢印１０５、１１５及び１２５は、レーザビーム１０６を最も深い層Ｌ3 に集束させた場合に、焦点はずれにある層Ｌ0 〜Ｌ2 におけるＯＰＣ領域の第１部分で反射される迷光を示している。この場合、層Ｌ0 、Ｌ1 及びＬ2 にのみ第１部分を設ければ充分である。しかし、層Ｌ3 に、記録された層を表す反射平均値を有する第１部分を設けることもできる。
【００２８】
図２は、図１と同じ実施例の４層ディスク２００を示す。この場合のＯＰＣテストレーザビーム２０６は、ディスク２００の第２の層Ｌ1 上に集束しており、矢印２０５、２２５及び２３５は、焦点はずれにある層Ｌ0 、Ｌ2 及びＬ3 において反射される迷光を示している。より正確には、光は、層Ｌ0 におけるＯＰＣ領域の第１（書き込み）部分２１２で反射されるとともに、それぞれ層Ｌ2 及びＬ3 におけるＯＰＣ領域の第２（未書き込み）部分２２３及び２３３で反射される。
【００２９】
図１及び２の双方から分るように、これらＯＰＣ領域は、互いに一部重なるように配置されており、順次の記録層の各対におけるＯＰＣ領域の第１部分が一段を形成し、これら複数の記録層のＯＰＣ領域の第１部分が階段状の形態になるようになっている。これらＯＰＣ領域は、その形状から階段状領域とも称される。
【００３０】
この階段状領域の方向は、層に記録処理を行う順番（頂部から底部へ又は底部から頂部への順番）により決定される。図１及び２に示される実施例では、記録処理は、頂部から底部へ（Ｌ0 からＬ3 へ）の順番で行う。記録処理を逆の順番（底部から頂部への順番）で行うのが好ましいのであれば、層Ｌ1 、Ｌ2 及びＬ3 にのみ第１部分を設ければ充分である。
【００３１】
通常、ＯＰＣ処理は、実際の記録処理の前に、一般的な光ディスクレコーダにより実施される。その理由は、例えば、動画のリアルタイム記録を行っている際に、層飛び越し（レイヤージャンプ）により新たなＯＰＣ処理を行う必要が生ずると動画の一部が失われるおそれがあり、このことは許容しえないことだからある。従って、ＯＰＣ処理を開始する前に、ＯＰＣ領域を存在させておく必要がある。ＯＰＣ領域は、例えば「バージン」ディスクを初めてレコーダに装着する場合にはレコーダ自体により適切なマークを書き込むことで発生させることもできるし、又はＯＰＣ領域を既製のディスク上に予め記録しておくこともできる（ＲＯＭ）。前者の場合には、レコーダに制御ユニットを設けることができ、レコーダがＯＰＣ領域が存在しないことを検出する場合に、ＯＰＣ処理を行う前にＯＰＣ領域を書き込む処理を行うように制御ユニットを配置することができる。従って、例えば、書き込みユニットにより書き込むべき「ダミーデータ」を、レコーダの表即ちメモリ内に記憶させておくことができる。更に、制御ユニットは、書き込みユニットを制御して、記憶されたダミーデータに従って変調された書き込みビームを発生させるように構成することができる。この場合、ディスクの層上（図１及び図２に示される実施例では層Ｌ0 、Ｌ1 、Ｌ2 のみの上）の予め定めた位置にマークを書き込み、それにより、これら層の各々に、記録された層を表す平均反射率を有する最適記録パワー校正（ＯＰＣ）領域の第１部分を形成する。
【００３２】
ＯＰＣ領域のデータの品質は、レコーダにより書き込まれたものでも、予め記録されたものでも、記録された層を表す平均反射率、例えば、未だ書き込まれていない初期状態の層の７５％の反射率及び書き込まれた（脱色した又は非晶質の）領域の２５％の反射率が得られる限り、重要なことではないことに注意されたい。
【００３３】
以下においては、ディスクの内側の半径Ｒmin 位置（中央）付近に存在しているＯＰＣ領域を考慮すると共に、ディスクのレーザ入射面に対して頂部から底部に向かって記録する場合を考慮する。本発明は、底部から頂部に向かって記録する場合にも適用することができる。更に、以下の記載は、ＯＰＣ領域が他のいかなる半径位置に存在する場合にも、好ましくはＯＰＣ領域がディスクの外側の半径Ｒmax 位置（周辺）付近にある場合にも簡単に拡張して適用することができる。
【００３４】
ＯＰＣ処理中及びユーザデータの記録中に同じ状態（上層及び下層の反射／透過）が確実に生じるように、次に最小のステップ（段）幅を決定する。この場合、層の誤整列量即ち偏心度と、入射レーザビームの光円錐の頂角との２つの影響を考慮する。
【００３５】
入射する読み取り又は書き込み光ビームは、レコーダの読み取り／書き込みユニットの対物レンズにより集束される。これにより、対物レンズの開口数ＮＡにより規定される頂角θを有する光円錐が発生される。これは以下の式（２）で表される。
ＮＡ＝ｎm ×ｓｉｎ（θ）        （２）
この式（２）中、ｎm は、光が伝搬する媒体、例えば記録層を分離するスペーサ材料の屈折率である。
【００３６】
距離Δの位置に存在する焦点はずれにある層上には、以下の式（３）で表される半径Ｒのスポットが発生する。
【数４】
2007521589.tif 000006
階段状領域の最小幅は、（頂部から底部に向けて記録する場合に）ＯＰＣテストビームが、記録された層を表す平均反射率を有する上方に存在する層を常に通過するのを保証するために、この半径Ｒにより決定する。
【００３７】
これまでの説明では、層の誤整列のおそれは考慮に入れていない。多層ディスクにおける層は、基準点、例えばディスクの理想的な幾何学的重心に対して整列させる必要がある。この基準点に対する各層の位置の誤差、換言すると層のらせん状のプリグルーブの偏心度は、εで表される。このことは、多層ディスクにおける任意の対の層は、互いに最大で＋２ε又は−２εだけ変位することを意味する（図３参照）。代表的なこれら２つの層のＯＰＣ領域の内側の半径Ｒmin を３０２及び３１２で示す。これらの中心３０４及び３１４は、（右側に）＋２ε、（左側に）−２εだけ変位している。起こりうる最大の誤整列量即ち偏心度を補正するために、以下に説明するように、順次の層の階段状領域の幅に対する２εの追加の増分を考慮に入れる必要がある。
【００３８】
ｎ重層ディスクの最も深い層Ｌn-1 上のＯＰＣ領域の開始位置は、ＲOPC,Ln-1として規定される。この最も深い層Ｌn-1 上に焦点が合っている場合、入射光に対する第１の層Ｌ0 上のスポット幅ｗLn-1,L0 は、上述した式（３）から計算することができる。最も深い層Ｌn-1 の書き込まれていない第２部分４３３に対してＯＰＣ処理を行った場合に、光円錐４０６が、第１の層Ｌ0 の書き込まれた第１部分４０２により完全に捕捉されるように、層Ｌn-1 のＯＰＣ領域の第２部分は、以下の式（４）により規定される位置から開始されるようにする必要がある。
【数５】
2007521589.tif 000007
この式（４）中、Δtot は、層Ｌn-1 及び層Ｌ0 間の垂直方向での合計間隔（全スペーサを合計した厚さ）を表す（図４参照）。
【００３９】
更に、層Ｌk+1 の書き込まれていない第２部分５２３にＯＰＣ処理を行う場合に、層Ｌk+1 上に集束したビームの光円錐４０６の全体が、次に高い位置にある層の記録された第１部分５１２を通過するようにするには、これら２つの順次の層Ｌk 及びＬk+1 の第１部分間のステップ寸法ｗk,k+1は以下の式（５）により規定する必要がある。
【数６】
2007521589.tif 000008
この式（５）中、Δk,k+1 は、順次の層間のスペーサ材料の厚さである（図５参照）。このΔk,k+1の値は、異なる層の間では種々に変えることができることに注意されたい。
【００４０】
上述したことは、ｎ層のディスク場合、各層Ｌi （ｉ＝０，...，ｎ−１）のＯＰＣ領域の第１部分の最小幅ｗi が、以下の式（６）を満足する必要があることを意味する。
【数７】
2007521589.tif 000009
この式（６）中、Δk,k+1 は、層ｋ＋１と層ｋとの間のスペーサ材料の厚さである。最初の合計値は、層Ｌn-1 と層Ｌ0 との間の全スペーサ厚Δtot に相当し、ｉ＝ｎ−１の場合の最後の合計値は、クロネッカーのデルタ関数δi,n-1 によりゼロとなることに注意されたい。最も深い層Ｌn-1 は、焦点を合わせる必要のあるそれより深い層が存在しないため、記録された層に相当する平均反射率を有する第１部分を必要としないことに注意されたい。従って、ｗn-1 は０に設定することもできる。更に、第１の層Ｌ0 は、必要に応じ、この第１の層のユーザデータ領域においてＯＰＣ処理を実施することもできるため、記録されていない層に相当する平均反射率を有する第２部分を必要としない。従って、ＯＰＣ領域の最大幅はｗ0 に制限することができる。
【００４１】
（ダミー）データを有する必要のあるＯＰＣ領域の第１部分におけるトラック数は、ステップ幅をトラックピッチで割ることにより得られる。
層内でＯＰＣ処理を行う部分であるＯＰＣ領域の第２部分は、常にＯＰＣ領域の第１部分に隣接して規定されている。このことにより、特に各層上での各ＯＰＣ処理が同数のトラックを使用する場合に、単一のディスクに対して複数回のＯＰＣ処理を行うのに、より高い（より低い）位置にある焦点はずれにある層におけるデータ（非データ）に関する条件が確実に満足されるようになる。ＯＰＣ領域の使用しうる全長は、他の条件により設定することができる。
【００４２】
ＯＰＣ処理中に、いずれかの層のＯＰＣ領域の第２部分に新規なテストデータが書き込まれた場合には、最小ステップ寸法の条件はもはや満足させなくて良いことになる。従って、本発明の他の実施例では、記録装置が、ＯＰＣ処理中に上述の層上に記録されたトラック（又はデータブロック）の最大数に相当する情報を（一時的に）記憶するようにする。更に、記録装置により、その他の層上に、記録された層を表す平均反射率を生ぜしめるデータ又はマークを記録させて、全ての層のＯＰＣ領域の第２部分に同数のトラック（又はデータブロック）が記録されるようにする。
【００４３】
例えば、ＮＡ＝０．６５、ｎm ＝１．５５、Δ＝５０μｍ、２ε＝７０μｍとし、前述した式（６）に従ってディスクの内径位置に存在するＯＰＣ領域を設けた２重層ＤＶＤ＋Ｒにおいては、以下の結果が得られた。
層Ｌ1 （最も深い層）におけるＯＰＣ領域の第２部分の内径位置にある第１部分は、Ｒmin,L1におけるＬ1 トラックの開始（内径）位置から数えて、
ｗ1 ＝７０＋０．４６×５０＝９３μｍ＝１２６トラック
の幅から開始する。
層Ｌ0 （第１の層）に関しては、ＯＰＣ領域の第１部分の幅は、Ｒmin,L0におけるＬ0 トラックの開始位置から数えて、
ｗ0 ＝７０＋０．４６×５０＋７０＋０．４６×５０＝１８６μｍ＝２５１トラック
分となる。
層Ｌ0 におけるＯＰＣ領域の第２部分は、幅ｗ0 の直後から開始する。
【００４４】
ＮＡ＝０．６５、ｎm ＝１．５５、Δ＝５０μｍ、２ε＝７０μｍとし、前述した式（６）に従ってディスクの内径位置にＯＰＣ領域を設けた４重層ＤＶＤ＋Ｒにおいては、以下の結果が得られた。
ｗ3 ＝７０＋０．４６×１５０＝１３９μｍ＝２８２トラック
ｗ2 ＝７０＋０．４６×１５０＋７０＋０．４６×５０＝２３２μｍ＝３１４トラック
ｗ1 ＝７０＋０．４６×１５０＋７０＋０．４６×５０＋７０＋０．４６×５０＝３２５μｍ＝４３９トラック
ｗ0 ＝７０＋０．４６×１５０＋７０＋０．４６×５０＋７０＋０．４６×５０＋７０＋０．４６×５０＝４１８μｍ＝５６５トラック
それぞれの幅ｗi は、Ｒmin,Liにおける対応するトラックの開始（内径）位置から数えたものである。
この場合も、ＯＰＣ領域の第２部分は、第１部分に続いて開始する。
【００４５】
ディスクの外径位置にＯＰＣ領域を設けた他は、上述したのと同じようにした実施例では、符号は負になるが上述したのと同じ絶対値のｗi が得られた。即ち、それぞれの幅ｗi は、Ｒmax,Liにおける対応するトラックの終了（外径）位置から数えている。この場合、ＯＰＣ処理は、外径位置から内径位置に向けて行うのが好ましい。
【００４６】
本発明の実施例では、階段状領域における書き込み結果に制御情報が含まれている。
【００４７】
本発明は、２層又は４層の光記録担体に限定されるものでなく、３層、５層及びそれより多い層の光記録担体にも適用されるものであることに注意すべきである。更に、ＯＰＣ領域の配置は、内径位置又は外径位置のＯＰＣ領域に限定されるものではなく、他のいかなる配置にすることもできる。
【図面の簡単な説明】
【００４８】
【図１】図１は、ＯＰＣ処理中の、階段状ＯＰＣ領域を有する多層ディスクを示す線図的断面図である。
【図２】図２は、異なる状態のＯＰＣ処理中の、階段状ＯＰＣ領域を有する多層ディスクを示す線図的断面図である。
【図３】図３は、多層ディスクにおける２層の記録層の最大誤整列量を示す線図的平面図である。
【図４】図４は、ｎ層の記録層を有する多層ディスクで第１の層Ｌ0 と最後の層Ｌn-i とを示す断面図である。
【図５】図５は、ｎ層の記録層を有する多層ディスクで順次の層Ｌi 及び層Ｌi-1 の対を示す断面図である。
【図１】
2007521589.tif 000013
【図２】
2007521589.tif 000014
【図３】
2007521589.tif 000015
【図４】
2007521589.tif 000016
【図５】
2007521589.tif 000017
【国際調査報告】
2007521589.tif 000018
2007521589.tif 000019